(57)【特許請求の範囲】
【請求項１】
通気性及び通水性を有する表面層シートと、
吸水性及び通気性を有し、吸水と乾燥との繰り返しが可能な中間層シートと、
透湿防水性を有する裏面層シートと、
が積層されてなり、支持脚を持つ冷蔵庫又は洗濯機の下に敷かれて利用される床面保護シートであって、
前記表面層シート、前記中間層シート及び前記裏面層シートの各平面形状は、相互に対向する両側辺と、相互に対向する前辺及び後辺とを含む少なくとも四辺をそれぞれ持ち、
前記表面層シートと前記裏面層シートとは、平面形状における前記四辺のうちの一辺又は対向する二辺を開放した状態で、前記中間層シートの外側で接着されており、
前記中間層シートは、前記表面層シートと前記裏面層シートとの接着部の内側に内包されており、
前記中間層シートの平面形状では、前記冷蔵庫又は前記洗濯機の前方の二つの支持脚が上に載らないように、両側辺と前辺との各延長線上の交点に形成され得る二つの三角形状の角領域が落とされており、
前記落とされている二つの三角形状の角領域に前記表面層シートと前記裏面層シートとの接着部がそれぞれ設けられている、
床面保護シート。
【請求項２】
通気性及び通水性を有する表面層シートと、
吸水性及び通気性を有し、吸水と乾燥との繰り返しが可能な中間層シートと、
透湿防水性を有する裏面層シートと、
が積層されてなり、支持脚を持つ冷蔵庫又は洗濯機の平面外周より内側に前記中間層シートの平面が配置されるように該冷蔵庫又は該洗濯機の下に敷かれて利用される床面保護シートであって、
前記表面層シート、前記中間層シート及び前記裏面層シートの各平面形状は、相互に対向する両側辺と、相互に対向する前辺及び後辺とを含む少なくとも四辺をそれぞれ持ち、
前記表面層シートと前記裏面層シートとは、平面形状における前記四辺のうちの少なくとも前記後辺を開放した状態で、平面形状における前記両側辺の各一部及び前記前辺の縁内部の接着部で接着されており、
前記中間層シートは、前記冷蔵庫又は前記洗濯機の平面外周内に収まる大きさで、前記表面層シートと前記裏面層シートとの前記接着部の内側に内包されており、
前記表面層シート及び前記裏面層シートの前後方向の長さは、前記床面保護シートの平面形状における前記中間層シートの介在していない領域が前方より後方のほうが広くなり、かつ該後方の領域を前記冷蔵庫又は前記洗濯機の背面後方で上方に折り曲げ利用可能な長さに設定されており、
前記床面保護シートの平面形状における前記中間層シートの介在していない前方の領域では、全域にわたって前記表面層シートと前記裏面層シートとの前記接着部が設けられているのに対して、前記中間層シートの介在していない後方の領域では、前記表面層シート及び前記裏面層シートの前記後辺に加えて前記両側辺も開放されている、
床面保護シート。
【発明の詳細な説明】
【技術分野】
【０００１】
本発明は、床面保護シートに関する。本明細書において「床面」とは、本発明に係る床面保護シートを被せることで保護され得るあらゆる面を意味する。「床面」には、家やベランダ等のいわゆる「床」に加えて、一般的には「床」とは呼ばれない、机上面、台上面、棚の天板上面、棚板上面、底板上面なども含まれる。
【背景技術】
【０００２】
人々が暮らす環境内には、水を利用する又は水を生じさせる様々な場所及び物品が存在する。水を利用する又は水を生じさせる場所は、「水回り」と表記するものとする。本明細書で「水回り」とは、キッチン、トイレ、バス、洗面所などの本来意味する場所に加えて、ペットのトイレや水置き場、ベランダの手洗い場、結露する窓ガラス周辺など、水を利用する又は水が生じるあらゆる場所を意味するものとする。また、水を利用する又は水を生じさせる物品には、洗濯機、冷蔵庫、食洗器、電子レンジ、炊飯器、水槽などがある。本明細書では、このような水を利用する又は水を生じさせる物品を「特定水物品」と表記するものとする。
【０００３】
水回りや特定水物品の周辺は、水による床面の劣化、腐食、汚れなどが生じ易い。そこで、下記特許文献１には、立体メッシュ布で構成した非保水層を表面に配し、その下に吸水保水層を配し、更にその下に遮水層を配した水廻りマットが提案されている。この水廻りマットによれば、落水又は飛水からフロアを確実に保護可能であることに加えて、表面に水分が含まれないため、素足に対して水濡れによるべとつき感を感じさせなくすることができる旨、記載されている。
【先行技術文献】
【特許文献】
【０００４】
【特許文献１】特開２０００−３１６７０３号公報
【発明の概要】
【発明が解決しようとする課題】
【０００５】
上記特許文献１には、保水性の小さい立体メッシュ布を表面に利用して袋体を形成し、この袋体の一辺に設けられた開口部から吸水保水部材を挿入し、ファスナやホックなどの留め具で開口部を閉じることで利用する水廻りマットも記載されている。この構造は、水廻りマットを洗濯する際に、袋体だけを洗うことを目的としている。そして、吸水保水部材の出し入れを可能とするために、当該開口部が設けられており、利用時には、その開口部を閉じることが前提とされている。
【０００６】
このように、上記水廻りマットは、洗濯による日々のメンテナンスを必要としており、手軽にメンテナンスできるような利用方法を想定している。更に言えば、上記水廻りマットは、あくまでマットとして、人がその上に乗るような環境での利用が想定されているに過ぎず、特定水物品の下に敷くような利用方法は、想定されていない。特に、冷蔵庫や洗濯機、水槽などの特定水物品の下に敷く場合、メンテナンスを手軽に行えないため、上記水廻りマットをそのまま利用することはできない。
【０００７】
本発明は、このような事情に鑑みてなされたものであり、水による床面の汚れや腐食などを防ぎながら、或る程度の期間、継続して利用可能な床面保護シートを提供する。
【課題を解決するための手段】
【０００８】
本発明の一側面では、上述した課題を解決するために、以下の構成を採用する。
【０００９】
本発明の一側面に係る床面保護シートは、通気性及び通水性を有する表面層シートと、吸水性及び通気性を有し、吸水と乾燥との繰り返しが可能な中間層シートと、透湿防水性を有する裏面層シートと、が積層されてなり、前記表面層シートと前記裏面層シートとは、平面形状における四辺のうちの一辺又は対向する二辺を開放した状態で、前記中間層シートの外側で接着されており、前記中間層シートは、前記表面層シートと前記裏面層シートとの接着部の内側に内包されている。
【００１０】
上記一側面に係る床面保護シートでは、特定水物品から落水又は飛水された水は、表面層シートを透過し、中間層シートで吸水される。中間層シートで吸収された水は、裏面層シートにより遮断され、床面へ到達するのを妨げられる。これにより、水による床面の汚れや腐食、劣化などを防ぐことができる。
更に、各層のシートの性質により通気性が確保されているだけでなく、表面層シートと裏面層シートとが中間層シートの外側で接着されておりかつ平面形状の一辺又は二辺が開放されていることで、通気が確保され、中間層シートが乾き易くなっている。これにより、中間層シートは、吸水後も、素早い乾燥により給水機能を復活させることができ、吸水と乾燥とを反復継続することができる。加えて、中間層シートは、表面層シートと裏面層シートとの接着部で位置ずれが抑制されている。結果、上記一側面に係る床面保護シートは、或る程度の期間の継続利用を可能とする。
【発明の効果】
【００１１】
上記各側面によれば、水による床面の汚れや腐食などを防ぎながら、或る程度の期間、継続して利用可能な床面保護シートを提供することができる。
【図面の簡単な説明】
【００１２】
【図１】本発明の実施形態における床面保護シート１の一部の断面を示す図である。
【図２】本発明の実施形態における床面保護シート１の平面図である。
【図３】図２のＡ−Ａ線で切断した断面を示す図である。
【図４】図２のＢ−Ｂ線で切断した断面を示す図である。
【図５】具体例における床面保護シート１の利用形態を示す斜視図である。
【図６】図５に示される利用形態における正面図である。
【図７】図５に示される利用形態における透視平面図である。
【図８】実施例における床面保護シート１の平面図である。
【発明を実施するための形態】
【００１３】
以下、本発明の実施の形態について説明する。なお、以下に挙げる実施形態は例示であり、本発明は以下の実施形態の構成に限定されない。
【００１４】
［概要］
まず、本発明の実施形態における床面保護シートの構造について、図１から図４を用いて説明する。本実施形態における床面保護シートは、床面の上に敷かれ、水による劣化、腐食、汚れ等から床面を保護する。床面保護シートは、例えば、水回りの床面の上に敷かれてもよいし、特定水物品と床面との間に敷かれてもよい。
【００１５】
図１は、本発明の実施形態における床面保護シート１の一部の断面を示す図である。
図１に示されるように、本実施形態にける床面保護シート１は、表面層シート３、中間層シート５及び裏面層シート７が積層されて形成されている。
【００１６】
表面層シート３は、通気性及び通水性を有する。表面層シート３は、水回り又は特定水物品から出た水を受け、その通水性能によりその水を透過させる。表面層シート３には、化学繊維、天然繊維、ガラス繊維、合成繊維などを用いた不織布、織布若しくは抄紙、又は多孔質性を有する樹脂シートを用いることができる。本発明は、通気性及び通水性を有する資材であれば、表面層シート３の資材を限定しない。
【００１７】
中間層シート５は、吸水性及び通気性を有し、吸水と乾燥との繰り返しが可能である。中間層シート５は、表面層シート３を透過してきた水を吸う。そして、吸水した中間層シート５は、また乾燥し、再度、吸水可能となる。中間層シート５には、綿布、綿にポリエステル、ポリウレタン等の他の繊維を混ぜて利用した速乾性の優れた布シートを用いることができる。本発明は、吸水性及び通気性を有する資材であれば、中間層シート５の資材を限定しない。
【００１８】
裏面層シート７は、透湿防水性を有する。裏面層シート７は、中間層シート５で吸水された水分及び中間層シート５で吸水されなかった水分が床面に移動することを遮断しつつ、透湿性により通気性を確保する。裏面層シート７には、建築資材などとして広く普及している一般的な透湿防水シートを利用することができる。透湿防水シートには、ポリエステル、ポリエチレン、ポロプロピレンなどの不織布又は多孔質フィルムなどを用いることができる。また、透湿防水性を有するシートとして、合成繊維からなる織布などに撥水加工が施されたシートを利用することもできる。本発明は、透湿防水性を有する資材であれば、裏面層シート７の資材を限定しない。
【００１９】
このように、床面保護シート１上に落ちた水は、表面層シート３を透過し、中間層シート５に吸収される。そして、中間層シート５に吸収された水又は吸収されなかった水は、裏面層シート７の防水性により、床面へ到達しない。これにより、本実施形態における床面保護シート１によれば、水回り又はその上に載置される特定水物品からの水による、床面の劣化、腐食、汚れなどを防ぐことができる。
【００２０】
また、表面層シート３、中間層シート５及び裏面層シート７の各層の通気性が、中間層シート５に吸水された水分が早く気化するよう作用する。
更に、表面層シート３と裏面層シート７とは、平面形状における四辺のうちの一辺又は対向する二辺を開放した状態で、中間層シート５の外側で接着されており、中間層シート５は、表面層シート３と裏面層シート７との接着部の内側に内包されている。
【００２１】
表面層シート３及び裏面層シート７における「一辺」とは、表面層シート３及び裏面層シート７の平面形状の外周の一部を形成する一つの線分を意味する。表面層シート３及び裏面層シート７の平面形状が多角形（四角形以上）である場合、当該「一辺」は、近接する二つの頂点を結ぶ線分である。図２に例示されるように当該平面形状が角が落とされた形状である場合には、外周の一部を形成する一つの直線状の線分である。但し、「一辺」は、完全な直線でなくてもよい。
「開放した状態」とは、表面層シート３及び裏面層シート７それぞれの一辺又は対向する二辺が全体的に接着されている状態ではない状態を意味する。よって、「開放した状態」には、辺全部が接着されていない状態のみならず、辺の両端の一部が接着されており辺の残りの中央部分が開放されている状態も含むものとする。
【００２２】
図２は、本発明の実施形態における床面保護シート１の平面図である。図３は、図２のＡ−Ａ線で切断した断面を示す図である。図４は、図２のＢ−Ｂ線で切断した断面を示す図である。
図２から図４の例では、表面層シート３と裏面層シート７とは、平面形状の外周に四辺９ｒ、９ｌ、９ｕ及び９ｄを含み、四辺９ｒ、９ｌ、９ｕ及び９ｄのうちの、対向する二辺９ｕ及び９ｄを開放した状態で、表面層シート３と裏面層シート７とが中間層シート５の外側で接着されている（接着部８ｒ及び８ｌ）。これにより、中間層シート５は、表面層シート３と裏面層シート７との接着部８の内側に内包されている（介在している）。
【００２３】
図２の例では、開放状態とされている二辺９ｕ及び９ｄは、各辺の全てが接着されておらず開放されているが、各辺の両端の一部が接着されており、残りの中央部分が開放状態とされていてもよい。また、図２の例では、開放状態とされている辺９ｕ及び９ｄにおいても、中間層シート５は、表面層シート３と裏面層シート７とに内包されているが、接着部がない辺９ｕ及び９ｄにおいては、中間層シート５は、外側に張り出していてもよいし、表面層シート３及び裏面層シート７と辺を共有してもよい。
【００２４】
上述のように、本実施形態における床面保護シート１では、表面層シート３、中間層シート５及び裏面層シート７の全ての層において通気性が確保されているだけでなく、表面層シート３と裏面層シート７との一辺又は対向する二辺において開放状態とされている。これにより、全ての辺で接着されている構造に比べて、中間層シート５への通気性能を更に上げ、中間層シート５の乾き速度を向上させることができる。従って、一度吸水した中間層シート５が、素早く、再度、吸水機能を復活させることができるため、本実施形態における床面保護シート１は、長期間継続的に使用することができる。
更に、中間層シート５が、表面層シート３と裏面層シート７との接着部８の内側に内包されることで、中間層シート５の位置ずれが抑止されている。この点においても、床面保護シート１の長期間継続利用を可能としている。
【００２５】
［具体例］
以下、具体例を挙げ、上述の実施形態について更に詳述する。但し、本発明は、以下の具体例のみに限定されるものではない。また、上述の実施形態の内容は、以下の具体例でもそのまま踏襲され、以下の説明では、上述の実施形態と同じ内容については適宜割愛される。
【００２６】
図５は、具体例における床面保護シート１の利用形態を示す斜視図である。
本具体例では、図５に示されるように、床面保護シート１は、特定水物品としての洗濯機２０と床面との間に敷かれ、洗濯機２０から出る水から床面を保護する。洗濯機２０は、４つの支持脚２１ｆ、２１ｇ、２１ｒ及び２１ｓを有し、直接的には、これら４つの支持脚が床面保護シート１上に載る。本具体例では、説明の便宜のため、洗濯機２０が例示されるが、床面保護シート１上に載置される特定水物品は、支持脚を有する、冷蔵庫、水槽など、他の特定水物品であってもよい。
【００２７】
なお、以下の説明では、洗濯機２０のユーザの視点を基準に、方向を指し示すものとする。具体的には、洗濯機２０の正面に向かって左右方向及び前後方向並びに上下方向を指し示す。言い換えれば、左右方向は、洗濯機２０の幅方向と一致し、前後方向は、洗濯機２０の奥行方向と一致し、上下方向は、洗濯機２０の高さ方向と一致する。
【００２８】
図６は、図５に示される利用形態における正面図である。
床面保護シート１の積層方向（高さ方向）の厚みは、通気性を確保するためには薄ければ薄いほうが好ましい。洗濯機２０の支持脚２１ｆ、２１ｇ、２１ｒ及び２１ｓに押しつぶされた箇所以外は、床面保護シート１の元の厚みが残るため、その厚みで洗濯機２０の底面スペースがうまると、通気性が悪くなるからである。一方で、床面保護シート１は、吸水量を確保できるだけの厚みも必要となる。
そこで、床面保護シート１の積層方向の厚みは、特定水物品（洗濯機２０）の底面スペース高さの半分以下とされる。ここで、特定水物品（洗濯機２０）の「底面スペース高さ」とは、支持脚により底上げされている、床面３０からの特定水物品の底面の高さを意味する。特定水物品の中でも冷蔵庫や洗濯機２０などのように、外枠がその物品の底面よりも下側にせり出している物品が存在する。そのような特定水物品の底面は、外枠の最下端ではなく、本体部の底面となる。
例えば、床面保護シート１の積層方向の厚みは、３ｍｍ以上５ｍｍ以下とされ、中間層シート５の厚みは、床面保護シート１の全体の厚みの６割以上とされることが望ましい。
【００２９】
図７は、図５に示される利用形態における透視平面図である。図７では、洗濯機２０は図示されておらず、洗濯機２０及び支持脚２１ｆ、２１ｇ、２１ｒ及び２１ｓの載置位置が長鎖線により示されている。また、表面層シート３の平面上における中間層シート５の配置位置が破線により示されている。
【００３０】
図７に示されるとおり、本具体例では、中間層シート５は、表面層シート３と裏面層シート７とに全体が覆われている。そして、表面層シート３と裏面層シート７とは、平面形状における後辺９ｕを開放した状態で、両側辺９ｒ及び９ｌ並びに前辺９ｄの縁内部、かつ、中間層シート５の外側で接着されている。図７では、表面層シート３と裏面層シート７との接着部８がパターンで塗りつぶされて表されている。本具体例では、両側辺９ｒ及び９ｌ並びに前辺９の三方の接着部８により、中間層シート５の位置ずれが抑制されている。
【００３１】
また、図７の例では、表面層シート３と裏面層シート７とは、後辺９ｕでは全体的に接着されておらず、後辺９ｕすべてが開放されている。このように、後辺９ｕの開放部で通気性が確保されており、中間層シート５が乾きやすい構造となっている。
更に、中間層シート５は、表面層シート３及び裏面層シート７のいずれにも接着されていない。これにより、中間層シート５が表面層シート３又は裏面層シート７と接着している構造と比べて、中間層シート５への通気性が高められている。
【００３２】
洗濯機２０などの特定水物品から出る水は、漏水や水蒸気の液化など、特定水物品の底面から生じる場合が多い。そこで、平面形状における中間層シート５の面積は、特定水物品（洗濯機２０）の平面外周内の面積以下にされる。即ち、図７において長鎖線で示される洗濯機２０の平面形状における外周より内側に、破線で示される中間層シート５の平面が配置可能となっている。これにより、中間層シート５が不必要に大きくなるのを防ぎ、床面保護シート１のコスト低減を実現できる。
【００３３】
加えて、中間層シート５の平面形状において、特定水物品（洗濯機２０）の前方の二つの支持脚２１ｆ及び２１ｇが上に載らないように、両側辺１１ｒ及び１１ｌと前辺１１ｄとの各延長線上の交点に形成され得る二つの角が落とされている。そして、落とされている二つの角の領域の各々少なくとも一部で、表面層シート３と裏面層シート７とが接着される。図７の例では、落とされている二つの角の全領域が接着されている。
【００３４】
中間層シート５において支持脚で押しつぶされた領域の通気性は、押しつぶされる前に比べて、劣化する。更に、その周辺領域も少なからず押圧力が及ぶため、各層の密着度が高まり、通気性が悪化する。よって、上述のような構造により、中間層シート５において、洗濯機２０の支持脚で押しつぶされる領域を最小限に抑えることで、結果として、中間層シート５への通気性を維持することができる。また、落とされる角の領域の面積は、支持脚の平面の面積に近似することが望ましい。落とされる角の領域を小さくすればするほど、吸水性を高く維持することができるからである。
【００３５】
また、床面保護シート１の前後方向の長さ、即ち表面層シート３及び裏面層シート７の前後方向の長さは、特定水物品（洗濯機２０）の前後方向の長さよりも長く、かつ、特定水物品（洗濯機２０）の背面後方で上方に折り曲げ利用可能な長さに設定されている。洗濯機２０や冷蔵庫や水槽等、特定水物品は、建物の壁面に近づけて、設置されることが多いため、このような長さによれば、床面保護シート１の後端（後辺９ｕ）を、洗濯機２０の背面奥の壁面に沿って、上方に折り曲げて利用することができる。一方で、床面保護シート１の前後方向の長さを洗濯機２０と同程度の長さとした場合、当該後端（後辺９ｕ）の端面が壁面に当接する可能性がある。この場合、後辺９ｕの開放部が壁面で邪魔され、通気口として作用し難くなる可能性がある。よって、上述の長さによれば、通気口及び通気路を確実に確保することができ、中間層シート５への通気性を確実に維持することができる。
【００３６】
また、中間層シート５の前辺１１ｄと、表面層シート３及び裏面層シート７の前辺９ｄとの距離が、中間層シート５の後辺１１ｕと、表面層シート３及び裏面層シート７の後辺９ｕとの距離よりも短い位置に、中間層シート５が配置されている。言い換えれば、中間層シート５が介在しない領域が前方より後方のほうが広くなるように、中間層シート５が配置されている。この配置により、床面保護シート１の前後方向が利用者に認識し易くなる。中間層シート５が介在しない領域の広いほうが洗濯機２０の後方で、その領域の狭いほうが洗濯機２０の前方であると、利用者は容易に認識することができる。この認識をより容易にするために、表面層シート３は、中間層シート５が透けて見える薄さ及び材質、又は中間層シート５の存在が凹凸で確認可能な薄さ又は材質で形成されることが望ましい。例えば、表面層シート３の厚みは、中間層シート５の厚みの１５％以下にされる。
結果、床面保護シート１の誤った利用を防ぎ、床面保護シート１の後端を洗濯機２０の後方に確実に配置させることができる。
【００３７】
このように、本具体例における床面保護シート１は、中間層シート５の吸水性を維持しながら、中間層シート５への通気性を維持又は向上させる様々な構造を持ち、中間層シート５が乾燥と吸水とを安定して繰り返すことができるようにしている。結果、本具体例における床面保護シート１によれば、水による床面の汚れや腐食などを防ぎながら、或る程度の期間、継続して利用することができる。従って、利用者は、安心して、床面保護シート１を洗濯機２０の下に敷くことができる。
【００３８】
ところで、各層のシートには、次のような資材（素材）が利用される。表面層シート３には、例えば、通気性及び通水性を有し、裏面層シート７が溶化しない所定温度で裏面層シート７と熱接着可能な、不織布基材の片面接着芯が用いられる。中間層シート５には、例えば、通気性及び吸水性を有する綿１００％布が用いられる。裏面層シート７には、例えば、建築資材として普及している一般的な透湿防水シートが用いられる。
【００３９】
この場合、表面層シート３の上面から、裏面層シート７が溶化しない所定温度で加熱することで、表面層シート３の接着面（裏面）と裏面層シート７の表面とが熱接着され、上述の接着部８を形成することができる。このように、表面層シート３に上述のように片面接着芯を用いることで、床面保護シート１の製造コストを低減することができる。また、表面層シート３に不織布を用いることで、表面層シート３の表面に埃を捕集することができ、床面保護シート１に埃捕集機能を持たせることができる。
【００４０】
表面層シート３と裏面層シート７との接着方法は、このような例に限定されない。表面層シート３又は裏面層シート７に接着剤を塗布することで、接着してもよいし、熱融着性のある素材を含む表面層シート３又は裏面層シート７を用いることで、接着剤を用いることなく、表面層シート３と裏面層シート７とを熱融着させてもよい。なお、用いられる接着剤は、両シート間を接着でき、耐水性を備えていれば、二液性接着剤、ホットメルトタイプ、溶剤タイプなど、限定されない。
【００４１】
［変形例］
上述の具体例では、中間層シート５は、表面層シート３及び裏面層シート７の両方と接着されていなかったが、通気性が大きく妨げられない程度であれば、表面層シート３又は裏面層シート７と一部で接着されていてもよい。但し、中間層シート５と表面層シート３又は裏面層シート７との接着部は小さくかつ少ないほうが望ましい。
【００４２】
また、上述の具体例では、床面保護シート１の後辺９ｕのみが開放されていたが、前辺９ｄも開放されていてもよい。この構造によれば、通気性をより向上させることができる。前辺９ｄが開放されたとしても、中間層シート５における角が落とされた領域の辺と洗濯機２０の支持脚２１ｆ及び２１ｇが当接することで、中間層シート５の位置ずれは抑止され得る。
また、中間層シート５は、前方の２つの角が落とされていない、長方形又は正方形の形状を有していてもよい。この構造では、上述の具体例と比較すれば、通気性は落ちるものの、後辺９ｕの開放、又は、後辺９ｕ及び前辺９ｄの開放により、必要な通気性は確保できる。
【００４３】
また、上述の具体例では、表面層シート３と裏面層シート７との表面形状が同じであったが、接着部８で両シートが接着可能であれば、両シートの表面形状は完全に同一ではなくてもよい。
【実施例】
【００４４】
以下に実施例を挙げ、上述の実施形態及び具体例を更に詳細に説明する。本発明は以下の実施例から何ら限定を受けない。本発明者は、以下に示される実施例における床面保護シート１を用いて二か月間試験を行い、上述の作用効果を実証した。
【００４５】
本実施例における床面保護シート１では、表面層シート３には、日本バイリーン株式会社製の不織布薄地の片面接着芯が利用され、中間層シート５には、綿１００％薄地布が利用され、裏面層シート７には、デュポン社（米国）製のタイベックが利用された。そして、表面層シート３の表面にアイロンを所定温度で所定秒押し当て、表面層シート３と裏面層シート７とを熱接着させることで、床面保護シート１が形成された。この所定温度及び所定秒については、本発明者による実験の繰り返しにより見出された。
【００４６】
図８は、実施例における床面保護シート１の平面図である。
本実施例では、図８に示されるとおり、方形の中間層シート５が利用され、中間層シート５の全体が表面層シート３及び裏面層シート７に内包されている。更に、表面層シート３及び裏面層シート７が、後辺９ｕが開放された状態で、両側編９ｒ及び９ｌ並びに前辺９ｄの縁内部かつ中間層シート５の外側で接着されている。
表面層シート３及び裏面層シート７の幅が５８ｃｍであり、それらの前後方向の長さが７０ｃｍであり、中間層シート５の幅が５０ｃｍであり、中間層シート５の前辺１１ｄが、床面保護シート１の前辺９ｄより４ｃｍ内側に位置し、中間層シート５の両側辺１１ｒ及び１１ｌが、床面保護シート１の両側辺９ｒ及び９ｌより４ｃｍ内側に位置するように、中間層シート５が配置された。図８には示されていないが、中間層シート５の前後方向の長さは、一般的な洗濯機の奥行の長さに設定された場合と、６６ｃｍに設定された場合（表面層シート３、中間層シート５及び裏面層シート７の後辺が共通）との両タイプについて試行された。
【００４７】
本発明者は、理容室の洗髪場の下に実施例における床面保護シート１を置いて、二か月間の試験を行った。この試験により、床面保護シート１（両タイプとも）が、水による床の汚れ等を防ぎ、かつ、メンテナンスなしで、継続的にその保護機能を発揮して使えることを確認した。更に、毎朝、床面保護シート１の状態を確認し、床面保護シート１、特に中間層シート５が乾燥していることも確認され、結果、中間層シート５が吸水と乾燥とを反復継続可能であることも確認された。
【符号の説明】
【００４８】
１  床面保護シート
３  表面層シート
５  中間層シート
７  裏面層シート
８、８ｌ、８ｒ  接着部
９ｄ  前辺（床面保護シート、表面層シート、裏面層シート）
９ｕ  後辺（床面保護シート、表面層シート、裏面層シート）
９ｒ、９ｌ  側辺（床面保護シート、表面層シート、裏面層シート）
１１ｄ  前辺（中間層シート）
１１ｕ  後辺（中間層シート）
１１ｒ、１１ｌ  側辺（中間層シート）
２０  洗濯機
２１ｆ、２１ｇ、２１ｒ、２１ｓ  支持脚
【図１】
0006746079.tif 000002
【図２】
0006746079.tif 000003
【図３】
0006746079.tif 000004
【図４】
0006746079.tif 000005
【図５】
0006746079.tif 000006
【図６】
0006746079.tif 000007
【図７】
0006746079.tif 000008
【図８】
0006746079.tif 000009